(57)【要約】【課題】  高速共通制御チャンネル(ＨＳ−ＳＣＣＨ)内の新規パケット指示子(ＮＩ)を效率的に使用できる複合自動反復要求システムで高速共通制御チャンネルを通じた制御信号の送受信方法及び装置を提供する。【解決手段】  本発明の好ましい実施形態による一側面によると、無線通信システムで複合自動再伝送(ＨＡＲＱ)のための制御情報を伝送する方法であって、パケットデータを初期伝送する際に、前記パケットデータに対応する新規データ指示子を初期伝送であることを表す特定ビット値に設定して前記初期パケットデータとともに伝送する過程と、前記パケットデータに対する再伝送要求がある場合際に、前記新規データ指示子を以前パケットデータの再伝送に対応する以前新規データ指示子の反転値に設定して前記パケットデータの再伝送パケットデータとともに伝送する過程とを含む。【選択図】  図９
2005151575.tif 000002
【特許請求の範囲】
【請求項１】
無線通信システムで複合自動再伝送(ＨＡＲＱ)のための制御情報を伝送する方法であって、
パケットデータを初期伝送する際に、前記パケットデータに対応する新規データ指示子を初期伝送であることを表す特定ビット値に設定して前記初期パケットデータと共に伝送する過程と、
前記パケットデータに対する再伝送要求がある際に、前記新規データ指示子を以前パケットデータの再伝送に対応する以前新規データ指示子の反転値に設定して前記パケットデータの再伝送パケットデータと共に伝送する過程とを含むことを特徴とする複合自動反復要求システムで高速共通制御チャンネルを通じた制御信号の送信方法。
【請求項２】
前記一番目の過程は、前記初期パケットデータに対応する星状図とデータの種類を表す星状/予備バージョン(ＲＶ)情報を、初期伝送するための特定値に設定して前記初期パケットデータと共に伝送する過程を含むことを特徴とする請求項１記載の複合自動反復要求システムで高速共通制御チャンネルを通じた制御信号の送信方法。
【請求項３】
前記二番目の過程は、前記再伝送パケットデータに対応する星状図とデータの種類によって前記星状/予備バージョン情報を設定する段階と、
前記再伝送パケットデータに対応する星状/予備バージョン情報が前記初期伝送のための特定値と同一であれば、前記以前新規データの指示子と関係なく前記新規データ指示子を前記特定ビット値の反転値に設定する段階と、
前記再設定された星状/予備バージョン情報と前記再設定された新規データ指示子とを前記再伝送データと共に伝送する段階と、を含む ことを特徴とする請求項２記載の複合自動反復要求システムで高速共通制御チャンネルを通じた制御信号の送信方法。
【請求項４】
前記新規データ指示子を、前記パケットデータ又は前記再伝送パケットデータを伝送するチャンネルとは違うチャンネルを通じて伝送する過程をさらに含むことを特徴とする請求項１記載の複合自動反復要求システムで高速共通制御チャンネルを通じた制御信号の送信方法。
【請求項５】
無線通信システムで複合自動再伝送(ＨＡＲＱ)のための制御情報を伝送する装置において、
パケットデータを初期伝送する際に、前記パケットデータに対応する新規データ指示子を初期伝送であることを表す特定ビット値に設定して、前記パケットデータに対する再伝送要求がある際に、前記新規データ指示子を以前パケットデータの再伝送に対応する以前新規データ指示子の反転値に設定する制御部と、
前記新規データ指示子を、前記パケットデータ又は前記パケットデータの再伝送パケットデータを伝送するチャンネルとは違うチャンネルを通じて伝送する送信機とを含むことを特徴とする複合自動反復要求システムで高速共通制御チャンネルを通じた制御信号の送信装置。
【請求項６】
前記制御部は、前記パケットデータを初期伝送する際に、前記初期パケットデータに対応する星状図とデータの種類を表す星状/予備バージョン(ＲＶ)情報を、前記新規データ指示子とともに前記送信機を通じて伝送されるように、初期伝送のための特定値に設定することを特徴とする請求項５記載の複合自動反復要求システムで高速共通制御チャンネルを通じた制御信号の送信装置。
【請求項７】
前記制御部は、前記パケットデータに対する再伝送要求がある際に、前記再伝送パケットデータに対応する星状図とデータの種類によって前記星状/予備バージョン情報を設定し、
前記再伝送パケットデータに対応する星状/予備バージョン情報が前記初期伝送のための特定値と同一であれば、前記以前新規データ指示子と関係なく前記新規データ指示子を前記特定ビット値の反転値に設定し、前記再設定された星状/予備バージョン情報と前記再設定された新規データ指示子とを、前記再伝送パケットデータとともに前記送信機を通じて伝送できるように前記送信機に伝達することを特徴とする請求項６記載の複合自動反復要求システムで高速共通制御チャンネルを通じた制御信号の送信装置。
【請求項８】
無線通信システムで複合自動再伝送(ＨＡＲＱ)のための制御情報を受信する方法であって、
受信しようとするパケットデータに対応する新規データ指示子と、前記パケットデータに対する星状図とデータの種類を表す星状/予備バージョン情報とを含む制御情報を受信する過程と、
前記星状/予備バージョン情報が初期伝送であることを表す特定値であり且つ前記新規データ指示子とが初期伝送であることを表す特定ビット値であれば、前記パケットデータが初期伝送データであると判断する過程と、
前記星状/予備バージョン情報が前記特定値ではなく且つ前記新規データ指示子が以前パケットデータの再伝送に該当する以前新規データ指示子の反転値と同一であれば、、前記パケットデータが再伝送データであると判断する過程とを含むことを特徴とする複合自動反復要求システムで高速共通制御チャンネルを通じた制御信号の受信方法。
【請求項９】
前記初期伝送データであると判断する過程は、前記星状/予備バージョン情報が前記特定値ではなく且つ前記新規データ指示子が前記以前新規データ指示子の反転値と同一ではなければ、前記パケットデータが初期伝送データであると判断することを特徴とする請求項８記載の複合自動反復要求システムで高速共通制御チャンネルを通じた制御信号の受信方法。
【請求項１０】
前記再伝送データであると判断する過程は、前記星状/予備バージョン情報が前記特定値と同一であり且つ前記新規データ指示子が前記特定ビット値と同一ではなければ、前記パケットデータが再伝送データであると判断することを特徴とする請求項８記載の複合自動反復要求システムで高速共通制御チャンネルを通じた制御信号の受信方法。
【請求項１１】
前記初期伝送データを予め受信されたデータに取り替えて保存する過程をさらに含むことを特徴とする請求項８記載の複合自動反復要求システムで高速共通制御チャンネルを通じた制御信号の受信方法。
【請求項１２】
前記再伝送データを予め受信されたデータと結合して保存する過程をさらに含むことを特徴とする請求項８記載の複合自動反復要求システムで高速共通制御チャンネルを通じた制御信号の受信方法。
【請求項１３】
無線通信システムで複合自動再伝送(ＨＡＲＱ)のための制御情報を受信する装置において、
受信しようとするパケットデータに対応する新規データ指示子と、前記パケットデータに対する星状図とデータの種類を表す星状/予備バージョン情報とを含む制御情報を受信する制御情報受信機と、
前記星状/予備バージョン情報が初期伝送であることを表す特定値であり且つ前記新規データ指示子が初期伝送であることを表す特定ビット値であれば、前記パケットデータが初期伝送データであると判断して、前記星状/予備バージョン情報が前記特定値ではなく且つ前記新規データ指示子が以前パケットデータの再伝送に対応する以前新規データ指示子の反転値と同一であれば、前記パケットデータが再伝送データであると判断する制御部とを含むことを特徴とする複合自動反復要求システムで高速共通制御チャンネルを通じた制御信号の受信装置。
【請求項１４】
前記制御部は、前記星状/予備バージョン情報が前記特定値ではなく且つ前記新規データ指示子が以前新規データ指示子の反転値と同一ではなければ、前記パケットデータが初期伝送データであると判断することを特徴とする請求項１３記載の複合自動反復要求システムで高速共通制御チャンネルを通じた制御信号の受信装置。
【請求項１５】
前記制御部は、前記星状/予備バージョン情報が前記特定値と同一であり且つ前記新規データ指示子が前記特定ビット値と同一ではなければ、前記パケットデータが再伝送データであると判断することを特徴とする請求項１３記載の複合自動反復要求システムで高速共通制御チャンネルを通じた制御信号の受信装置。
【請求項１６】
前記初期伝送データを予め受信されたデータに取り替えて保存するか、前記再伝送データを予め受信されたデータと結合して保存するデータ受信機をさらに含むことを特徴とする請求項１３記載の複合自動反復要求システムで高速共通制御チャンネルを通じた制御信号の受信装置。
【請求項１７】
無線通信システムでパケットデータを送受信する方法であって、
端末が、基地局から受信した新規データ指示子により再伝送パケットデータが受信されたか初期伝送パケットデータが受信されたかを判断し、前記判断結果、再伝送パケットデータである場合は、前記再伝送パケットデータをバッファーに保存されたパケットデータと結合し、初期伝送パケットデータである場合は、バッファーに保存されたパケットデータを前記初期伝送パケットデータに取り替える過程と、
前記端末が、前記基地局から受信したパケットデータに対するエラー可否を判断して、エラーなしに受信した場合には、それに対応する肯定応答を送って、エラーを検出した場合には、それに対応する不正応答を送る過程と、
前記基地局が前記端末から前記肯定応答を受信した場合には、次回のパケットデータを伝送するために、新規データ指示子を、初期伝送を表す予め決定された特定ビット値に設定する過程と、
前記基地局が前記端末から前記不正応答を受信した場合には、前記新規データ指示子を以前パケットデータの再伝送に対応する以前新規データ指示子の反転値に設定する過程とを含むことを特徴とする複合自動反復要求システムで高速共通制御チャンネルを通じた制御信号の送受信方法。
【請求項１８】
前記基地局がパケットデータを再伝送するために、前記再伝送パケットデータに対応する星状/予備バージョン情報を選択する過程と、
前記選択された星状/予備バージョン情報が初期伝送のために予め決定された特定値と同一ではない場合は、前記新規データ指示子を前記以前新規データ指示子の反転値に設定して伝送する過程と、
前記選択された星状/予備バージョン情報が前記特定値と同一である場合は、前記新規データ指示子を、前記以前新規データ指示子と関係なく前記特定ビット値の反転値に設定する過程とをさらに含むことを特徴とする請求項１７記載の複合自動反復要求システムで高速共通制御チャンネルを通じた制御信号の送受信方法。
【請求項１９】
前記端末が、前記特定値に設定された星状/予備バージョン情報と、前記特定ビット値に設定された新規データ指示子とを受信すれば、バッファーに保存されたパケットデータを新たに受信したパケットデータに取り替える過程と、
前記端末が、前記特定値に設定されていない星状/予備バージョン情報と、前記以前新規データ指示子の反転値と相違である新規データ指示子とを受信した場合には、バッファーに保存されたパケットデータを新たに受信したパケットデータに切り替える過程と、
前記端末が、前記特定値に設定されていない星状/予備バージョン情報と、前記以前新規データ指示子の反転値と同一である新規データ指示子とを受信した場合には、受信したパケットデータをバッファーに保存されたパケットデータと結合する過程と、
前記端末が、前記特定値に設定された星状/予備バージョン情報と、前記特定ビット値に設定されていない新規データ指示子とを受信した場合には、受信したパケットデータをバッファーに保存されたパケットデータと結合する過程と、
をさらに含むことを特徴とする請求項１７記載の複合自動反復要求システムで高速共通制御チャンネルを通じた制御信号の送受信方法。
【発明の詳細な説明】
【技術分野】
【０００１】
本発明は、広帯域(Wideband)符号分割多重接続(ＣＤＭＡ：Code Division Multiple Access)無線通信システムで、高速下向きリンクパケット伝送(ＨＳＤＰＡ：High Speed Downlink PＡＣＫet Access)を支援するための高速共通制御チャンネル(ＨＳ−ＳＣＣＨ：High Speed Shared Control Channel)の送受信方法及び装置に関し、特に、高速共通制御チャンネル内の新規パケット指示子(ＮＩ：New Indicator)を效率的に使用することにより、既存システムから発生できるデータの損失を防止することができる送受信方法及び装置に関する。
【背景技術】
【０００２】
移動通信システムは、初期の音声を主としたサービスの提供から脱してデータサービス及びマルチメディアサービス提供のための高速で高品質の無線データパケット通信システムに発展している。
【０００３】
現在、３ＧＰＰ(3rd Generation Partnership Project)及び３ＧＰＰ２を中心として進行されているＨＳＤＰＡ(High Speed Data PＡＣＫet Access)及び1xEV-DV(Evolution in Data and Voice)についての標準化は、第３世代移動通信システムで、２Ｍｂｐｓ以上の高速で高品質の無線データパケット伝送サービスに対する解法を探すための努力の代表的な証拠だと見られ、第４世代移動通信システムは、それ以上の高速で高品質なマルチメディアサービスの提供をめざしている。
【０００４】
無線通信において、高速で高品質なデータサービスを阻害する要因は、大抵は無線チャンネル環境に起因する。無線通信チャンネルでは、白色雑音以外にもフェーディングによる信号電力の変化、シャドウイング(Shadowing)、使用者端末機(ＵＥ：User Equipment)の移動及び頻繁な速度変化によるドップラー効果、他の使用者及び多重経路信号による干渉などによりチャンネル環境がよく変わる。したがって、前記高速無線データパケットサービスを提供するためには、既存の第２世代或いは第３世代移動通信システムで提供された一般的な技術の外にチャンネル変化に対する適応能力を高めることができる他の進歩した技術が必要である。既存のシステムで採択している高速電力制御方式もチャンネル変化に対する適応力を高めるが、高速データパケット伝送システムの標準化を進めている３ＧＰＰ、３ＧＰＰ２では、適応型変調/符号化方式(ＡＭＣＳ：Adaptive Modulation and Coding Scheme)及び複合自動再伝送方式(ＨＡＲＱ：Hybrid Automatic Repeat ReqＵＥst)に共通的に取り組んでいる。
【０００５】
適応型変調/符号化方式は、下向きリンク(Downlink)のチャンネル環境の変化に従って変調方式(Modulation Scheme)と符号化率(Coding Rate)を変化させる方式である。
通常、端末では、下向きリンクの信号対雑音比(ＳＮＲ：Signal to Noise Ratio)を測定して、これに対する情報を上向きリンクを通じて基地局へ伝送し、基地局は、この情報に基づいて下向きチャンネルの環境を予測して、その予測された値に基づいて適切な変調方式とチャンネル符号器の符号化率を指定する。したがって、適応型変調/符号化方式を使用しているシステムでは、通常的に基地局の辺りにある端末のように良いチャンネル環境を持っている端末の場合には、１６ＱＡＭ(16-ary Quadrature Amplitude Modulation)又は６４ＱＡＭなどのような高次変調方式と、３/４などの高符号化率とを適用し、セルの境界地点にある端末のように悪いチャンネル環境を持っている端末の場合には、ＢＰＳＫ(Binary Phase Shift Keying)、ＱＰＳＫ(Quadrature PSK)、または８ＰＳＫ(8-ary PSK)などのような低次変調方式と、１/２などのような低符号化率とを適用する。このような適応型変調/符号化方式は、高速電力制御に依存した既存方式に比べて干渉信号を減らすことにより平均的にシステムの性能を向上させるようになる。 
【０００６】
複合再伝送方式は、初期に伝送されたデータパケットにエラーが発生した場合は、前記エラーパケットを補償するためにパケットを再伝送する方式を意味する。複合再伝送方式は、チェースコンバイニング方式(Chase Combining：以下、ＣＣと称する)、全体リダンダンシー増加方式(Full Incremental Redundancy：以下、ＦＩＲと称する)及び部分的リダンダンシー増加方式(Partial Incremental Redundancy：以下、ＰＩＲと称する)で区分することができる。
【０００７】
前記ＣＣは、再伝送時に初期伝送と同一である全体パケットを単純伝送する方式で、受信端では再伝送されたパケットと受信バッファーに保存されていた初期伝送パケットを所定の方式によりコンバイニングすることにより、復号器に入力される符号化ビットに対する信頼度を向上させて全体的なシステム性能利得を得ることができる。この時、同一である二つのパケットをコンバイニングすることは反復符号化と類似な効果が発生するので、平均的に約３ｄＢ程度の性能利得効果を得ることができる。
【０００８】
前記ＦＩＲは、同一であるパケットの代りにチャンネル符号器から発生する剰余ビットのみからなるパケットを伝送させることにより受信端にある復号器の性能を改善させる方式である。即ち、前記復号器は、復号時に、初期伝送時に受信された情報だけではなく新しい剰余ビットを利用することにより、結果的に、符号化率を減少させて復号器の性能を増大させるようになる。一般的に、低い符号化率による性能利得が反復符号化による性能利得より大きいことは符号化理論でよく知られた事実である。したがって、性能利得の点では、ＦＩＲは、ＣＣに比べて通常的に一層良い性能を表す。
【０００９】
前記ＦＩＲとは違い、ＰＩＲは、再伝送時に情報ビットと新しい剰余ビットとの組合からなるデータパケットを伝送する方式として、前記復号時に、情報ビットについては初期伝送された情報ビットとコンバイニングすることにより、ＣＣと類似な効果を得るようになり、また、剰余ビットを使用して復号化することにより、FＩＲとも類似の効果を得るようになる。この時、ＰＩＲは、ＦＩＲよりは符号化率が少し高くなって、一般的にＦＩＲとＣＣの中間程度の性能を表すようになる。
【００１０】
前記適応型変調/符号化方式と複合再伝送方式は、リンクの変化に対する適応能力を高めるための独立的な技術であるが、前記二つの方式を結合して使えばシステムの性能を大きく改善させることができる。即ち、前記適応型変調/符号化方式により下向きチャンネル状況に適合する変調方式及びチャンネル符号器の符号化率が決定されると、それに対応するデータパケットが伝送され、受信端では前記伝送されたデータパケットに対する復号化に失敗する場合に再伝送を要求するようになる。基地局は、前記受信端の再伝送要求を受け入れて、予め決まった複合再伝送方式に基づいて所定のデータパケットを再伝送するようになる。 
【００１１】
かかる方式を支援するため、使用者端末と基地局との間に該当関連制御信号を交換する必要がある。特に、ＵＭＴＳ(Universal Mobile Telecommunication Service)通信システムでこのような制御信号を伝送するために使用される制御チャンネルを高速共通制御チャンネル(High Speed Shared Control Channel: 以下、ＨＳ−ＳＣＣＨと称する)という。即ち、前記ＨＳ−ＳＣＣＨは、使用者データを運ぶ高速下向きリンク共通チャンネル(High Speed Physical Downlink Shared Channel：以下、ＨＳ−ＰＤＳＣＨと称する)に係わる制御信号を運ぶ。
【００１２】
図１は、ＵＭＴＳ通信システムで使用されるＨＳ−ＳＣＣＨとＨＳ−ＰＤＳＣＨの構造を示す図である。
図１に図示されるように、前記ＨＳ−ＳＣＣＨ１１０は、ＨＳ−ＰＤＳＣＨ１２０より２スロット以前に伝送され、ＨＳ−ＰＤＳＣＨ１２０の復調のために必要な制御情報を運ぶ。ＨＳ−ＰＤＳＣＨ１２０の復調を支援するためにＨＳ−ＳＣＣＨ１１０を通じて伝送される制御情報の種類は、次のようである。
【００１３】
1. チャンネル化コード組合(Channelized Code Set)情報７ビット
2. 変調情報１ビット
3. 伝送ブロック(ＴＢ)のサイズ情報６ビット
4. ＨＡＲＱ処理情報３ビット
5. 予備/星状バージョン情報(Redundancy and constellation version)３ビット
6. 新規データ指示子(New data indicator: ＮＩ)フラッグ１ビット
7. 使用者識別子(ＵＥ ＩＤ)１６ビット
【００１４】
前記ＨＳ−ＳＣＣＨ１１０は、３個のスロットで構成されるが、一番目のスロットにはチャンネル化コード組合情報と変調情報、そして、以後の二つのスロットには伝送ブロックのサイズ情報、ＨＡＲＱ処理情報、予備/星状バージョン情報、新規データ指示子、使用者識別子などの伝送が行われるようになる。このように、二つの部分に分ける理由は、ＨＳ−ＰＤＳＣＨ１２０を復調するために一番要求される情報がチャンネル化コード組合情報と変調情報であるからである。
【００１５】
図２は、一般的な高速下向きリンクパケット接続方式を使用する通信システムの高速共通制御チャンネルを伝送するための送信端の構造を示す図である。
図２を参照すると、基地局の送信端は、使用者データを高速下向きリンク共通チャンネルを通じて伝送する前に、チャンネル化コード組合決定部２０２を通じて前記使用者データのチャンネル化に使用されるコードを割り当てるようになり、変調情報決定部２０４により前記使用者データに割り当てられる変調方式を決定するようになる。
【００１６】
前記ＨＡＲＱ制御部２０６は、ＮＩ、ＨＡＲＱ処理情報、ＲＶ(Redundancy Version)を決定し、ＴＢサイズ決定部２０８は、使用者データ伝送に使用されるＴＢのサイズを決定して多重化器(Multiplexer)２２２へ伝達する。
【００１７】
前記多重化器２２２は、伝達を受けたチャンネル化コード組合情報、ＭＳ(Modulation Scheme)情報(例えば、予備(redundancy)/星状(constellation)バージョン情報など)、ＮＩ，ＨＡＲＱ処理情報、ＲＶ、伝送ブロックサイズ情報などを多重化してスロットフォーマットに準ずるビットストリームを生成した後に、ＣＲＣ(Cyclic Redundancy Check)コーディング部２２４に出力する。この時、前記ＣＲＣは、ＵＥ ＩＤによりマスキングされることがある。前記ＣＲＣコーディング部２２４は、入力を受けたビットストリームにＣＲＣを添加して直列並列変換部(Serial to Parallel Converter)２２６へ伝達する。前記ＣＲＣが添加された前記制御情報ビットは、前記直列並列変換部２２６を経って実数部と虚数部に区分されて拡散器２２８に出力される。
【００１８】
前記拡散器２２８は、前記直列並列変換部２２６から出力された信号の入力を受けて予め設定されている拡散コードＣＯＶＳＦで拡散して、各々同位相と直交位相信号で生成して合算器２３０へ送る。前記合算器２３０は、前記同位相と直交位相信号を合算した後に、スクランブラー２３２に復号形態で出力する。
【００１９】
前記スクランブラー２３２は、前記合算器２３０から出力された信号の入力を受けて予め設定されているスクランブルコードＣＳｃｒａｍｂｌｅでスクランブルした後に出力する。前記スクランブルされた信号は、チャンネル利得調節機２３４によりチャンネル利得と掛けられて変調部２３６に出力される。
【００２０】
前記変調部２３６は、予め設定されている変調方式で前記チャンネル利得が掛けられた信号を変調した後にＲＦ(Radio Frequency)部２３８に出力する。前記ＲＦ部２３８は、前記変調部２３６から出力された信号をＲＦ帯域信号に変換した後にアンテナ２４０に出力し、前記アンテナ２４０を通じて前記ＲＦ帯域信号が出力される。
【００２１】
以下、前記図２に対応する通常的な高速下向きリンクパケット接続方式を使用する通信システムの高速共通制御チャンネルを受信するための受信端の構造について、図３を参照して説明する。
図３は、通常的な高速下向きリンクパケット接続方式を使用する通信システムの高速共通制御チャンネルを受信するための受信端の構造図である。
【００２２】
図３を参照すると、アンテナ３０２を通じて受信されたＲＦ帯域信号は、ＲＦ部３０４から基底帯域(baseband)信号に変換されて復調部３０６に出力される。
前記復調部３０６は、前記ＲＦ部３０４から出力した信号を送信機側、即ち、基地局で使用した変調方式に対応する復調方式で復調した後に乗算機３０８に出力する。
【００２３】
前記乗算機３０８は、前記復調器３０６から出力された信号と予め設定されているスクランブルコード、即ち、前記基地局で使用したスクランブルコードと同一であるスクランブルコードＣＳｃｒａｍｂｌｅで掛けた後に複素Ｉ/Ｑストリーム変換器(Complex to I&Q streams Converter)３１０に出力する。ここで、前記乗算機３０８は、デ−スクルランブルラー(de-scrambler)として動作する。
【００２４】
前記複素Ｉ/Ｑストリーム変換器３１０は、前記乗算機３０８から出力された複素数形態の信号をＩビットストリームとＱビットストリームで分離して各々乗算機３１２と乗算機３１４に出力する。
【００２５】
前記乗算機３１２、３１４は、各々入力された前記ＩビットストリームとＱビットストリームに、予め設定されている拡散コード、即ち、基地局で適用した拡散コードと同一である拡散コードＣＯＶＳＦと掛けた後にチャンネル補償器３１６に出力する。ここで、前記乗算機３１２、３１４は、逆拡散器(de-spreader)として動作する。前記チャンネル補償期３１６は、前記基地局から端末へ無線(air)を通じて信号が伝送されることによって発生する歪曲(distortion)を補償した後に並列/直列変換器３２０に出力する。
【００２６】
前記並列/直列変換器３２０は、前記チャンネル補償器３１６から出力した信号を入力して直列変換した後にＣＲＣデコーダー(ＣＲＣ decoder)３２２に出力する。前記ＣＲＣデコーダー３２２は、前記並列/直列変換器３２０から出力した信号に対してＣＲＣエラーを検査して、前記検査結果、ＣＲＣエラーが発生しなかった場合は、逆多重化器(DEMUX)３２４に出力する。前記逆多重化器３２４は、前記ＣＲＣデコーダー３２２から出力した信号を逆多重化してチャンネル化コード組合情報、ＭＳ情報、ＮＩ、ＨＡＲＱ処理情報、ＲＶ、伝送ブロックサイズを出力する。
【００２７】
制御情報解釈部３４２は、前記制御情報を解釈するようになる。この時、前記制御情報解釈部３４２を通じて新しいパケットであることを示せば、既存の受信されたデータを一掃(clear)して現在受信されたデータを保存し、再伝送パケットであることを示せば、既存の受信されたデータに現在受信されたデータを結合してさらに保存する。
ここでは、ＡＣＫ／ＮＡＣＫを処理することにおいて、固定式(fixed)と転換式(toggle)の二つの方式が提示されている。
【００２８】
図４は、一般的な固定式ＮＩ伝送方式の動作を示す図であり、図５は、エラーが発生する場合の固定式ＮＩ伝送方式の動作を示す図である。
前記固定式は、初期伝送時にはＮＩを‘１’に設定して、再伝送である場合にはＮＩを‘０’に設定する。図４において、図面符号４１０は、基地局が端末へ伝送するパケットＡ、Ｂ、ＣとＮＩの値である。ここで、ＮとＣは各々初期伝送(New)と再伝送(Continued)を意味する。また、図面符号４２０は、端末から基地局へフィードバックするＡＣＫ又はＮＡＣＫを示す。
【００２９】
図４に図示されるように、基地局は、端末からＡＣＫが受信される場合には、新しいパケットを伝送しながらＮＩを“Ｎ”に設定し、ＮＡＣＫが受信される場合には、既存に伝送されたパケットを再伝送しながらＮＩを“Ｃ”に設定するようになる。
【００３０】
ところで、前記のような固定式ＨＡＲＱは、無線上で初期伝送又は再伝送パケットが遺失(missing)される場合に、図５に図示されるようなエラーが発生できる。同様に、図面符号５１０は、基地局から伝送する初期伝送又は再伝送パケットとＮＩを示し、図面符号５２０は、端末から基地局にフィードバックするＡＣＫ又はＮＡＣＫを示す。
図５において、端末は、Ａパケットを二回の再伝送を通じてエラーなしに受けた後にＡＣＫを伝送し、基地局は、前記ＡＣＫに応答して次のパケットであるＢパケットを伝送する。
【００３１】
ところが、もし、前記Ｂパケットが初期伝送で損失されたら、端末はＡＣＫ又はＮＡＣＫを伝送しないようになり、基地局は以後の処理を選択しなければならない。ここで、基地局がＮＡＣＫと判断してＢパケットを再伝送するようになる場合は、端末は前記ＢパケットのＮＩが０であるので、即ち、エラーと判断して、前記Ｂパケットを廃棄するようになる。そのようになると、結果的にＢパケットが完全に損失される。また、Ｄパケットが初期伝送中に損失されて基地局が端末からの無応答をＡＣＫとして解釈して新しいパケットＥを伝送すると、端末はＤパケットも完全に流失するようになる。
【００３２】
このような問題点を解消することができる転換式は、パケットが完全に伝送される前までＮＩビットをそのまま維持する方式である。即ち、特定パケットの伝送にＮＩで‘１’を使ったら、そのパケットに対してＡＣＫを受信する前までＮＩを‘１’に設定し、ＡＣＫが受信されて次のパケットを伝送する時にＮＩを‘０’に転換することである。
【００３３】
図６は、一般的な転換式ＮＩ伝送方式の動作を示す図でる。同様に、図面符号６１０は、基地局から伝送する初期伝送又は再伝送パケットとＮＩを示し、図面符号６２０は、端末から基地局にフィードバックするＡＣＫ又はＮＡＣＫを示す。図示されるように、基地局は、Ａパケットを伝送する間、ＮＩを‘１’に維持し、次にＢパケットを伝送する時にＮＩを‘０’に転換する。
【００３４】
ここで、端末がＣパケット(NI=1)を受けてＡＣＫを伝送すると、基地局はＤパケット(NI=0)を伝送するようになるが、この時、前記Ｄパケットが損失されて基地局が端末からの無応答をＡＣＫとして解釈すれば、基地局はＥパケット(NI=1)を伝送するようになる。しかし、端末は前記ＥパケットのＮＩよって前記Ｅパケットが既に受信されたＣパケットの再伝送であると判断して廃棄(discard)するようになる。したがって、この場合もパケットの損失が発生することが分かる。
【００３５】
このような転換式を図４固定式と比較して総合すれば、次のようである。
即ち、もし初期伝送のパケットが損失されると、基地局は前記パケットに対する無応答がＡＣＫであるか又はＮＡＣＫであるかを判断しなければならない。この時、前記判断がＮＡＣＫである場合は、固定式ＮＩ方式システムに損失エラーを発生させるようになる。また、ＡＣＫである場合は、固定式NI方式システムと転換式ＮＩ方式システムとの双方に損失エラーを発生させるようになる。即ち、前記二つのＮＩ伝送方式は全部パケット損失エラーを避けることができない。したがって、このようなエラーを解決することができる送信機と受信機の動作方法及び装置を必要とするようになった。
【発明の開示】
【発明が解決しようとする課題】
【００３６】
本発明は、上述したような従来技術の問題点を解決するためになされたもので、その第１目的は、ＨＡＲＱ通信システムで制御情報を効率的に伝送してパケットの損失を前もって防止するための送受信方法及び装置を提供することにある。
本発明の第２目的は、ＨＡＲＱ通信システムで固定式及び転換式ＮＩ方式を結合してパケットの損失を物理チャンネルで前もって防止するための送受信方法及び装置を提供することにある。
本発明の第３目的は、ＨＡＲＱ通信システムでパケットの損失を前もって防止してシステム収率(throughput)を向上させる送受信方法及び装置を提供することにある。
【課題を解決するための手段】
【００３７】
前記目的を達成するための本発明の好ましい実施形態による一側面によると、無線通信システムで複合自動再伝送(ＨＡＲＱ)のための制御情報を伝送する方法であって、パケットデータを初期伝送する際に、前記パケットデータに対応する新規データ指示子を初期伝送であることを表す特定ビット値に設定して前記初期パケットデータと共に伝送する過程と、前記パケットデータに対する再伝送要求がある際に、前記新規データ指示子を以前パケットデータの再伝送に対応する以前新規データ指示子の反転値に設定して前記パケットデータの再伝送パケットデータと共に伝送する過程とを含むことを特徴とする。
【００３８】
本発明の好ましい実施形態による他の側面によると、無線通信システムで複合自動再伝送(ＨＡＲＱ)のための制御情報を受信する方法であって、受信しようとするパケットデータに対応する新規データ指示子と前記パケットデータに対する星状図とデータの種類を表す星状/予備バージョン情報とを含む制御情報を受信する過程と、前記星状/予備バージョン情報が初期伝送であることを表す特定値であり且つ前記新規データ指示子が初期伝送であることを表す特定ビット値であれば、前記パケットデータが初期伝送データであると判断する過程と、前記星状/予備バージョン情報が前記特定値ではなく且つ前記新規データ指示子が以前パケットデータの再伝送に対応する以前新規データ指示子の反転値と同一であれば、前記パケットデータが再伝送データであると判断する過程とを含むことを特徴とする。
【発明の効果】
【００３９】
本発明を広帯域符号分割多重接続無線通信システムにおける高速パケットデータ送受信システムに適用する場合に、ＮＩの効率的な伝送を通じてパケットの損失を防止して、上位レイヤーを通じた再伝送を物理チャンネル端で前もって防止することにより、結果的にシステム収率を向上させることができる。
【発明を実施するための最良の形態】
【００４０】
以下、添付の図面を参照して本発明による好ましい実施形態について詳細に説明する。 本発明の説明において、関連公知機能あるいは構成についての具体的な説明は、本発明の要旨を明確にするために省略する。
また、後述される用語は、本発明での機能を考慮して定義された用語として、これは使用者、運用者の意図又は慣例などによって変わることができる。したがって、本明細書の全般にわたった内容に基づいて定義しなければならない。
後述する本発明は、複合自動再伝送要求(ＨＡＲＱ)通信システムでパケットの再伝送に関する制御情報の伝送を最適化することによりパケットの損失を最小化することである。
【００４１】
ＨＡＲＱを支援する高速下向きリンクパケット接続通信システムは、パケットデータを高速下向きリンク共有チャンネル(ＨＳ−ＰＤＳＣＨ)を通じて伝送すると共に、同時に前記ＨＳ−ＰＤＳＣＨに対する制御情報を高速共有制御チャンネル(ＨＳ−ＳＣＣＨ)を通じて伝送する。ここで、前記制御情報では、チャンネル化コード組合(Channelized Code Set)情報と、変調情報と、伝送ブロック(ＴＢ)サイズ情報と、ＨＡＲＱ処理情報と、予備/星状バージョン情報と、新規データ指示子(ＮＩ)と、端末識別子(ＵＥ ＩＤ)がある。
【００４２】
以下、前記パケットの伝送に関する制御情報について詳細に説明する。
まず、ＨＳ−ＤＳＣＨチャンネル化コード情報について説明する。
適応型変調/コーディング(ＡＭＣＳ)方式と複合再伝送(ＨＡＲＱ)方式を支援して通信効率を高めるＨＳＤＰＡシステムは、全体的な下向きリンク(downlink)伝送資源の中の一部の伝送資源を多数の端末が共有するようにするシステムである。下向きリンク伝送資源には、直交コード(orthogonal code)であるＯＶＳＦ(Orthogonal Variable Spreading Factor)コードがあり、ＨＳＤＰＡ通信システムでは、拡散係数(Spreading Factor: 以下、ＳＦと称する)が１６である最大１５個のＯＶＳＦコードを使用する。
【００４３】
図７は、本発明が適用されるＨＳＤＰＡ通信システムで、ＯＶＳＦコードを割り当てた一例を示す図である。ここでは、拡散係数が１６である場合を図示した。 
図７を参照すると、各ＯＶＳＦコードは、コードツリー(code tree)における位置によってＣ(i、j)で図示されている。Ｃ(i、j)において、変数ｉは拡散係数を表し、変数ｊはＯＶＳＦコードツリーにおいて一番左側からカウントした位置を表す。例えば、Ｃ(16,0)は、拡散係数が１６であり、ＯＶＳＦコードツリーにおいて左側から一番目の位置に存在するＯＶＳＦコードを意味する。
【００４４】
図７は、拡散係数が１６である場合に、ＯＶＳＦコードツリーにおいて７番目から１６番目まで、即ち、Ｃ(16.6)からＣ(16,15)までの１０個のＯＶＳＦコードをＨＳＤＰＡサービスのために割り当てる例を図示している。ここで、ＨＳＤＰＡサービスのために使用可能な多数個のＯＶＳＦコードは、特定な同一時間に多数の端末に対してＯＶＳＦコード多重化が可能である。７番目から１６番目まで、即ち、Ｃ(16.6)からＣ(16,15)までの１０個のＯＶＳＦコードが特定端末のために使用される場合は、他の端末のためにＣ(16.3)からＣ(16,5)まで３個のＯＶＳＦコードが同時にコード多重化されて使用されることができる。
【００４５】
次に、ＭＳ情報について説明する。
上述のように、適応変調/コード(ＡＭＣＳ)方式は、下向きリンクのチャンネル環境の変化によって変調器の変調方式とチャンネル符号器の符号率を変化させる方式である。一般に端末では下向きリンクの信号対雑音比（ＳＮＲ）を測定して、このＳＮＲの情報を下向きリンクのチャンネル環境を示すものとして上向きリンクを通じて基地局へ伝送することにより知らせるようになり、基地局は、前記情報に基づいて下向きチャンネルの環境を予測して、その予測された結果に基づいて適切な変調方式と符号率を指定するようになる。
【００４６】
ＱＰＳＫ(Quadrature Phase Shifting Keying)と１６ＱＡＭ(16-art Quadrature Amplitude Modulation)の二つの変調方式が使用される場合には、適応型変調/コード(ＡＭＣＳ)方式を支援する基地局では、毎パケットの伝送時ごとに端末に現在伝送されるパケットの変調方式と符号率についての情報を伝送しなければならない。ここで、符号率は、伝送ブロック組合と、ＨＳ−ＤＳＣＨチャンネル化コード組合と、変調方式などの情報にマッチングされているので、基地局は端末に変調方式についての情報だけを与えれば良い。
伝送ブロックサイズ情報は、伝送チャンネルから物理チャンネルへマッピングされる伝送ブロック(ＴＢ)のサイズについての情報である。 
【００４７】
次に、予備/星状バージョン情報(ＲＶ)について説明する。
複合再伝送方式の一種類であるＩＲ(Incremental Redundancy)は、初期に伝送されたデータパケットにエラーが発生した場合に、前記エラーパケットに関連されたパリティビット(Parity Bits)を再伝送する。予備バージョン情報は、伝送されるビット組合(parity bit combination)の識別子を表す。また、ＨＳ−ＰＤＳＣＨについて高次変調方式である１６ＱＡＭが使用される場合に、伝送ビットがマッピングされる信号点の位置を毎再伝送時ごとに変えるために、毎再伝送時ごとに他のバージョンの星状図が使用され、星状バージョン情報は、再伝送時に使用される星状図のバージョンを表す。予備/星状バージョン情報は、ビット組合に対する情報と星状図に対する情報を結合して３ビットで表現したことである。
【００４８】
ＮＩは、伝送されたパケットが初期伝送されたパケットであるか再伝送されるパケットであるかを知らせる指示子であり、１ビットが割り当てられる。
ＵＥ ＩＤは、各使用者ごとに割り当てを受ける固有した識別子で、端末は、ＵＥ ＩＤを利用して毎時間スロットごとにＨＳ−ＳＣＣＨ及びＨＳ−ＰＤＳＣＨが自分に割り当てられているか否かを検出するようになる。
【００４９】
次に、Ｈ−ＡＲＱプロセスＩＤについて説明する。
ＨＡＲＱ方式は、ＡＲＱ(Automatic Retransmission Request)方式の伝送効率を増加させるために次のような二つの方案を新しく導入している。一番目の方案は、使用者端末と基地局との間で再伝送要求及び応答を実行することであり、二番目の方案は、受信側でエラーが発生したデータを一時的に保存してから該当データを再伝送データと結合(Combining)することである。
【００５０】
一方、典型的な停止-待機(Stop and Wait: SAW)ＡＲＱ方式は、現在のパケットデータに対するＡＣＫを受信した場合だけ次のパケットデータを伝送する。このように、現在のパケットデータに対するＡＣＫを受信した後にだけ次のパケットデータを伝送すると、パケットデータを現在伝送することができるにもかかわらずＡＣＫを待機しなければならない場合が発生する。このような短所を補完するために開発されたｎ-チャンネルＳＡＷ ＡＲＱは、現在のパケットデータに対するＡＣＫを受けない状態で多数のパケットデータを連続的に伝送してチャンネルの使用効率を高めることができる。
【００５１】
即ち、使用者端末と基地局との間にｎ個の時分割(time division)論理チャンネル(Logical Channels)を設定し、基地局はＨＡＲＱ処理情報に所定の時間又はチャンネル番号を使用して該当パケットデータがどの時分割チャンネルを通じて伝送されるかを知らせる。使用者端末は、前記ＨＡＲＱ処理情報を利用して、任意の時点で受信したパケットデータを元の順に再構成するか、該当パケットデータをソフトコンバイニング(soft combining)できる。
【００５２】
特に、本発明では、上述したＮＩフラッグを利用して端末がパケットデータを最大限復旧することができるようにする。本発明の好ましい実施形態で、ＮＩフラッグは、新しいパケットが伝送されるときごとに転換され、そして初期伝送時には固定された値(例えば、‘１’)にいつも設定される。
【００５３】
図８は、本発明の好ましい実施形態によって高速下向きリンクパケット接続(ＨＳＤＰＡ)方式を使用する通信システムの高速共通制御チャンネル(ＨＳ−ＳＣＣＨ)を伝送するための伝送装置(transmitting apparatus)の構成を示す。ここで、多重化器８２２以後の部分は、制御情報を決定する部分(８０２乃至８０８)と区分されて送信機(transmitter)と称される。
【００５４】
図８を参照すると、基地局は、使用者データを高速下向きリンク共通チャンネル(ＨＳ−ＰＤＳＣＨ)を通じて伝送する前に、チャンネル化コード組合決定部８０２を通じて前記使用者データのチャンネル化に使用されるコードを割り当てるようになり、変調情報決定部８０４により前記使用者データに割り当てられる変調方式を決定するようになる。ＨＡＲＱ制御部８０６は、ＮＩ、ＨＡＲＱ処理情報、ＲＶを決定し、伝送ブロックサイズ決定部８０８は、使用者データ伝送に使用されるＴＢのサイズを決定して多重化器８２２へ伝達する。
【００５５】
前記ＨＡＲＱ制御部８０６では、まず、端末から受信された応答のＡＣＫ又はＮＡＣＫを判読して、ＡＣＫである場合は、星状/予備バージョン情報(ＲＶ)を０００に決定し、ＮＩを１に決定した後に、prev_NIをビット反転して新しいprev_NIとして保存する。前記prev_NIは、以前パケットデータの再伝送に対応する以前NIを意味し、初期に‘０’に設定できる。ここで、ＲＶを０００に設定する理由は、パケットデータの初期伝送時に一番目の星状/予備バージョンを使用するように規定されているからである。一方、ＮＡＣＫである場合は、星状/予備バージョン情報(ＲＶ)を選択するようになり、ＮＩを既存に伝送した値(prev_NI)に決定した後に、ＲＶが０００である場合にはＮＩを０にセッティングする。
【００５６】
前記多重化器８２２は、伝達を受けたチャンネル化コード組合情報とＭＳ情報、ＮＩ、ＨＡＲＱ処理情報、ＲＶ、伝送ブロックサイズなどを多重化してスロットフォーマットに準ずるビットストリームを生成した後に、ＣＲＣコーディング部８２４に出力する。この時、前記ＣＲＣは、使用者識別子(ＵＥ ＩＤ)によりマスキングされることがある。ＣＲＣコーディング部８２４は、前記ビットストリームに所定ＣＲＣを添加して直列/並列変換部８２６へ伝達する。前記ＣＲＣを含むビットストリームは、前記直列/並列変換部８２６を経て実数部と虚数部に区分されて各々拡散器８２８に出力される。 
【００５７】
前記拡散器８２８は、前記直列/並列変換部８２６から出力された信号の入力を受け、予め設定されている拡散コードＣOVSFで拡散し、同位相成分と直交位相成分に分離して合算器８３０へ送る。
前記合算器８３０は、前記同位相及び直交位相成分を合算した後にスクランブラー８３２に複素形態で出力する。前記スクランブラー８３２は、前記合算器８３０から出力された信号の入力を受け、予め設定されているスクランブルコードＣＳｃｒａｍｂｌｅでスクランブルリングする。 
【００５８】
前記スクランブルリングされた信号は、チャンネル利得調節機８３４によりチャンネル利得と掛けられて変調部２３６に出力する。前記変調部８３６は、予め設定されている変調方式で前記チャンネル利得が掛けられた信号を変調した後にＲＦ部８３８に出力する。前記ＲＦ部８３８は、前記変調部８３６から出力された信号をＲＦ帯域信号に変換した後にアンテナ８４０に出力し、前記アンテナ８４０を通じて前記ＲＦ帯域信号が出力される。
【００５９】
図９は、本発明の好ましい実施形態による基地局の動作を示す図である。ここでは、基地局がＨＳ−ＰＤＳＣＨとＨＳ−ＳＣＣＨを通じてパケットデータと制御情報を伝送した以後に端末からＨＳ−ＤＰＣＣＨ(High Speed Dedicated Physical Control Channel)を通じてＡＣＫ／ＮＡＣＫを受信し、次の時間区間でＨＳ−ＳＣＣＨを通じて伝送する制御情報の中で、特に、ＮＩを前記ＨＡＲＱ制御部８０６により決定する動作を示す。
【００６０】
図９を参照すると、前記ＨＡＲＱ制御部８０６は、以前伝送したパケットデータに対応して端末から応答を受信し(Ｓ９１０)、前記応答がＡＣＫであるか否かを判断する(Ｓ９２０)。
該判断の結果、端末からの応答がＡＣＫであると判断されると、新しいパケットを伝送するためにＲＶを初期伝送時に使用される特定値‘０００’に設定し、ＮＩを初期伝送でであること表す特定ビット値‘１’に設定する(Ｓ９６０)。そして、以前のprev_NIを反転してprev_NIとしてさらに保存する(Ｓ９７０)
一方で、該判断の結果、ＡＣＫではないと判断されると、ＲＶ組合で現在伝送しようとするパケットデータのための適切なＲＶを選択し、NIを前記prev_NI値に設定する(Ｓ９３０)。
この時、前記選択されたＲＶの値を判断した結果、ＲＶが前記特定値‘０００’と同一であれば(Ｓ９４０)、前記ＮＩは前記特定ビット値の反転値である０に設定される(Ｓ９５０)。
【００６１】
次に、前記図８に対応する高速下向きリンクパケット接続方式を使用する通信システムの高速共通制御チャンネル(ＨＳ−ＳＣＣＨ)を受信するための受信装置の構成について、図１０を参照して説明する。ここで、逆多重化器１０２４以前の部分は、制御情報解釈部１０４２と区分して受信機と称する。
【００６２】
図１０は、本発明の好ましい実施形態によって高速下向きリンクパケット接続方式を使用する通信システムの高速共通制御チャンネル(ＨＳ−ＳＣＣＨ)を受信するための受信装置の構成図である。
図１０を参照すると、アンテナ１００２を通じて無線上で受信されたＨＳ−ＳＣＣＨのＲＦ帯域信号は、ＲＦ部１００４により基底帯域信号に変換されて復調部１００６に入力される。
【００６３】
前記復調部１００６は、前記ＲＦ部１００４から出力された信号を入力して送信機側、即ち、基地局で使用された変調方式に対応する復調方式で復調した後に乗算機１００８に出力する。
前記乗算機１００８は、前記復調器１００６から出力した信号に予め設定されているスクランブルリングコード、即ち、前記基地局で使用したスクランブルリングコードと同一であるスクランブルリングコードＣＳｃｒａｍｂｌｅを掛けた後に複素Ｉ/Ｑ変換部１０１０に出力する。ここで、前記乗算機１００８は、デ−スクランブルラー(de-scrambler)として動作する。
【００６４】
前記複素Ｉ/Ｑ変換部１０１０は、前記乗算機１００８から出力された複素数形態の信号をＩビットストリームとＱビットストリームとに分離して各々乗算機１０１２と乗算機１０１４に出力する。
前記乗算機１０１２、１０１４は、前記ＩビットストリームとＱビットストリームに予め設定されている拡散コード、即ち、基地局で適用した拡散コードと同一である拡散コードＣOVSFを掛けた後にチャンネル補償器１０１６に出力する。ここで、前記乗算機１０１２、１０１４は、逆拡散器(de-spreader)として動作する。
【００６５】
前記チャンネル補償機１０１６は、前記逆拡散された信号について前記基地局から端末へ無線上で発生する歪曲を補償した後に並列/直列変換器１０２０に出力する。
前記並列/直列変換器１０２０は、前記チャンネル補償器１０１６から出力した信号を直列に変換する。
前記ＣＲＣデコーダー１０２２は、前記直列変換された信号のＣＲＣエラーを検査し、前記検査結果、ＣＲＣエラーが発生しなかった場合には逆多重化器(DEMUX)１０２４に出力する。
【００６６】
前記逆多重化器１０２４は、前記ＣＲＣデコーダー１０２２から出力した信号を逆多重化して、チャンネル化コード組合情報、ＭＳ情報、ＮＩ、ＨＡＲＱ処理情報、ＲＶ、伝送ブロックサイズを含む制御情報として出力する。
制御情報解釈部１０４２は、前記制御情報を解釈するようになる。特に、前記制御情報解釈部１０４２は、前記制御情報の中でＲＶとＮＩによって現在受信されたパケットが初期伝送パケットであるか否か判断することができる。
【００６７】
次に、端末で制御情報を解釈してＨＳ−ＰＤＳＣＨの受信を制御する方法について、図１１を参照して説明する。
図１１は、本発明の好ましい実施形態による端末の動作を示す流れ図である。
図１１を参照すると、端末はＨＳ−ＳＣＣＨの制御情報を受信した後(Ｓ１１１０)に、前記制御情報に含まれたＲＶが初期伝送時に使用される特定値である‘０００’であるか否かを判断する(Ｓ１１２０)。
【００６８】
判断結果、前記ＲＶが‘０００’ではなければ、端末は前記制御情報に含まれたＮＩが予め保存されたprev_NIと同一であるか否かを判断する(Ｓ１１３０)。ここで、前記ＲＶが‘０００’ではなくて前記ＮＩが以前値と違うということは、初期伝送パケットが遺失されたまま再伝送パケットが受信されたことを意味する。
【００６９】
したがって、前記ＮＩが前記prev_NIと同一ではなければ、前記ＨＳ−ＳＣＣＨの制御情報に対応してＨＳ−ＰＤＳＣＨを通じて受信されたデータが新しいパケットであると判断して、ＨＳ−ＰＤＳＣＨのバッファー内のデータを一掃した後に、現在受信されたＨＳ−ＰＤＳＣＨのパケットデータを前記バッファーにさらに保存する(Ｓ１１４０)。その後、前記prev_NIは、前記現在受信されたＮＩ値に設定される(Ｓ１１６０)。
【００７０】
一方で、前記Ｓ１１３０段階で、前記ＮＩが前記prev_NIと同一であれば、ＨＳ−ＰＤＳＣＨの受信データが再伝送パケットであると判断して、前記ＨＳ−ＰＤＳＣＨの受信データをＨＳ−ＰＤＳＣＨのバッファーに保存されたデータに結合してさらに保存する(Ｓ１１５０)。その後、前記prev_NIは、前記現在受信されたＮＩ値に設定される(Ｓ１１６０)。
【００７１】
また、前記Ｓ１１２０段階で、前記ＲＶが０００であれば、前記制御情報に含まれたＮＩが１であるか否かを判断する(Ｓ１１７０)。
判断結果、前記ＲＶが０００であり且つ前記ＮＩが１なら、前記ＨＳ−ＳＣＣＨの制御情報に対応してＨＳ−ＰＤＳＣＨを通じて受信されたパケットデータが新しいパケットであると判断して、端末はＨＳ−ＰＤＳＣＨのバッファー内のデータを一掃した後に、現在受信されたパケットデータを前記バッファーにさらに保存する(Ｓ１１８０)。その後、以前に保存されたprev_NI値を反転してprev_NIとしてさらに保存する(Ｓ１１９０)。
【００７２】
図１２は、本発明の好ましい実施形態による基地局と端末との間の制御信号の流れの一例を示す図である。ここで、図面符号１２１０は、基地局がＨＳ−ＰＤＳＣＨを通じて端末へ伝送するパケットとＨＳ−ＳＣＣＨを通じて伝送するＮＩの値を表し、図面の符号１２２０は、端末が前記パケットに対応してＨＳ−ＤＰＣＣＨを通じて伝送する応答(ＡＣＫ又はＮＡＣＫ)を表す。
【００７３】
図１２を参照すると、基地局は、Ａパケットを初期伝送した後に２回にわたって再伝送しながら対応するＮＩを‘１’に設定して伝送する。端末が前記Ａパケットを二回の再伝送を通じてエラーなしに受けた後にＡＣＫを送れば、基地局はその次のパケットであるＢパケットを伝送する。ところが、前記Ｂパケットが初期伝送中に損失されると、端末は前記Ｂパケットに対する応答(ＡＣＫ／ＮＡＣＫ)を送らず、基地局は前記端末からの無応答をＡＣＫとＮＡＣＫの中の何れか一つに解釈するようになる。
【００７４】
もし、基地局が前記端末からの無応答をＮＡＣＫと判断して前記Ｂパケットを再伝送するようになった場合は、再伝送するＢパケットのＮＩは、Ａパケットの再伝送時のＮＩとは違い、０に転換される。それにより、端末は前記ＢパケットのＮＩ値によって以前とは違うパケットが伝送されたことを認知することができる。
【００７５】
以後、基地局が端末からＣパケットに対するＡＣＫを受信して、次にＤパケットを送るようになるが、前記Ｄパケットが初期伝送中に損失されて基地局が端末からの無応答をＡＣＫと判断すれば、基地局ではＥパケットを送ると共に、ＲＶを‘０００’、ＮＩを‘１’に各々設定して伝送する。したがって、端末は同様に新しいパケットが伝送されたことを認知することができる。
【００７６】
このように、本発明によって固定式ＮＩ伝送方式と転換式ＮＩ伝送方式を結合すれば、パケットの損失が最小化できるようになる。
本発明は、本発明の技術的思想から逸脱することなく、他の種々の形態で実施することができる。前述の実施例は、あくまでも、本発明の技術内容を明らかにするものであって、そのような具体例のみに限定して狭義に解釈されるべきものではなく、本発明の精神と特許請求の範囲内で、いろいろと変更して実施することができるものである。
【図面の簡単な説明】
【００７７】
【図１】ＵＭＴＳ通信システムで使用されるＨＳ−ＳＣＣＨとＨＳ−ＰＤＳＣＨの構造を示す図である。
【図２】通常的な高速下向きリンクパケット接続方式を使用する通信システムの高速共通制御チャンネルを伝送するための送信装置の構成図である。
【図３】通常的な高速下向きリンクパケット接続方式を使用する通信システムの高速共通制御チャンネルを受信するための受信装置の構成図である。
【図４】一般的な固定式ＮＩ伝送方式の動作を示す図である。
【図５】エラーが発生する場合の固定式ＮＩ伝送方式の動作を示す図である。
【図６】一般的な転換式ＮＩ伝送方式の動作を示す図である。
【図７】本発明が適用されるＨＳＤＰＡ通信システムでＯＶＳＦコードを割り当てた一例を示す図である。
【図８】本発明の好ましい実施形態によって高速下向きリンクパケット接続(ＨＳＤＰＡ)方式を使用する通信システムの高速共通制御チャンネル(ＨＳ−ＳＣＣＨ)を伝送するための伝送装置の構成図である。
【図９】本発明の好ましい実施形態による基地局の動作を示す流れ図である。
【図１０】本発明の好ましい実施形態によって高速下向きリンクパケット接続方式を使用する通信システムの高速共通制御チャンネル(ＨＳ−ＳＣＣＨ)を受信するための受信装置の構成図である。
【図１１】本発明の好ましい実施形態による端末の動作を示す流れ図である。
【図１２】本発明の好ましい実施形態による基地局と端末との間の制御信号の流れの一例を示す図である。
【符号の説明】
【００７８】
９１０，９２０，９３０，９４０，９５０，９６０，９７０  ステップ
【図１】
2005151575.tif 000003
【図２】
2005151575.tif 000004
【図３】
2005151575.tif 000005
【図４】
2005151575.tif 000006
【図５】
2005151575.tif 000007
【図６】
2005151575.tif 000008
【図７】
2005151575.tif 000009
【図８】
2005151575.tif 000010
【図９】
2005151575.tif 000011
【図１０】
2005151575.tif 000012
【図１１】
2005151575.tif 000013
【図１２】
2005151575.tif 000014